(57)【要約】 【課題】接続用のＦＰＣの取り数が多く、かつ、接続信頼性の高い小型ＬＣＤモジュールを提供する。【解決手段】  ＬＣＤパネル１４からのＬＣＤ駆動用ＦＰＣ１６の突出方向とＬＣＤ駆動用基板１５が備えられた一辺に垂直な方向とし、ＬＥＤ点灯用ＦＰＣ１７の突出方向をＬＣＤ駆動用基板１５が備えられた一辺に沿った方向とする。これにより、一直線状の形状のＬＣＤ駆動用ＦＰＣ１６とＬＥＤ点灯用ＦＰＣ１７を折り曲げなくても、ＬＣＤ駆動用ＦＰＣ１６とＬＥＤ点灯用ＦＰＣ１７がＬＣＤパネル１４から引き出される方向を異ならせることができ、これらが干渉して取り付け作業が困難となることもない。【選択図】図２
2008112859.tif 000002
【特許請求の範囲】
【請求項１】
多数のＬＣＤ素子が配列された矩形状のＬＣＤパネルと、上記ＬＣＤパネルの一辺に備えられた複数または単数のＬＥＤと、上記ＬＥＤから発光された光を上記ＬＣＤパネルの背面全体に導光する導光部と、上記ＬＥＤが備えられた一辺に備えられ上記ＬＣＤ素子を駆動するＬＣＤ駆動用基板とを具備し、メイン基板によって上記ＬＣＤ素子の駆動制御と上記ＬＥＤの点灯制御が行われる小型ＬＣＤモジュールにおいて、
両端にそれぞれ端子を備え可撓性を有する矩形板状に形成され、一端の端子が上記ＬＥＤが備えられた一辺の略中央部にて上記ＬＣＤ駆動用基板と接続しつつ、上記ＬＣＤパネルに略平行、かつ、上記ＬＥＤが備えられた一辺から直交する方向へもう一端を突出させ、突出したもう一端の端子を上記メイン基板に平行に挿入させる平型コネクタであり、当該メイン基板に備えられたＬＣＤ駆動用コネクタに接続するとともに、上記両端が互いに反対向きとなるように略１８０度撓むＬＣＤ駆動用ＦＰＣと、
可撓性を有する細長矩形板状に形成され、上記ＬＣＤ駆動用ＦＰＣと重なりつつ上記ＬＥＤが備えられた一辺に長さ方向が沿うように配置することによりチップ型の上記ＬＥＤと接続し、長さ方向の一端側を略一直線状に上記ＬＣＤパネルの外側に突出させるとともに、
上記ＬＣＤ駆動用ＦＰＣが略１８０度撓んで上記ＬＣＤパネルと上記メイン基板とが略平行となる状態において、突出した一端に設けられた端子を上記メイン基板に平行に挿入させる平型コネクタであり、上記メイン基板上において上記ＬＣＤ駆動用コネクタと直交する方向に備えられたＬＥＤ点灯用コネクタに接続するＬＥＤ点灯用ＦＰＣとを具備することを特徴とする小型ＬＣＤモジュール。
【請求項２】
多数のＬＣＤ素子が配列された矩形状のＬＣＤパネルと、上記ＬＣＤパネルの一辺に備えられた複数または単数のＬＥＤと、上記ＬＥＤから発光された光を上記ＬＣＤパネルの背面全体に導光する導光部と、上記ＬＥＤが備えられた一辺に備えられ上記ＬＣＤ素子を駆動するＬＣＤ駆動用基板とを具備し、メイン基板によって上記ＬＣＤ素子の駆動制御と上記ＬＥＤの点灯制御が行われる小型ＬＣＤモジュールにおいて、
両端にそれぞれ端子を備え可撓性を有する矩形板状に形成され、一端の端子が上記ＬＣＤ駆動用基板と接続しつつ、上記ＬＥＤが備えられた一辺から直交する方向へもう一端を突出させ、突出したもう一端の端子を上記メイン基板に備えられたＬＣＤ駆動用コネクタに接続するＬＣＤ駆動用ＦＰＣと、
可撓性を有する細長矩形板状に形成され、上記ＬＥＤが備えられた一辺に長さ方向が沿うように配置することにより上記ＬＥＤと接続し、長さ方向の一端側を略一直線状に上記ＬＣＤパネルの外側に突出させるとともに、
突出した一端に設けられた端子を上記メイン基板において上記ＬＣＤ駆動用コネクタと直交する方向に備えられたＬＥＤ点灯用コネクタに接続するＬＥＤ点灯用ＦＰＣとを具備することを特徴とする小型ＬＣＤモジュール。
【請求項３】
両端が互いに反対向きとなるように上記ＬＣＤ駆動用ＦＰＣが略１８０度撓んだ状態において、上記ＬＥＤ点灯用ＦＰＣの一端に設けられた端子が上記ＬＣＤ駆動用コネクタに接続されることを特徴とする請求項２に記載の小型ＬＣＤモジュール。
【請求項４】
上記ＬＣＤ駆動用ＦＰＣの一端の端子は、上記ＬＥＤが備えられた一辺の略中央部にて上記ＬＣＤ駆動用基板と接続することを特徴とする請求項２または請求項３のいずれかに記載の小型ＬＣＤモジュール。
【発明の詳細な説明】
【技術分野】
【０００１】
本発明は小型ＬＣＤモジュールに関し、特にメイン基板に対してＦＰＣを介して接続される小型ＬＣＤモジュールに関するものである。
【背景技術】
【０００２】
小型のＬＣＤモジュールにおいては、バックライトを供給するためのＬＥＤと、バックライトの光を映像信号に基づいて透過させるＬＣＤパネルが備えられ、メイン基板との間でＬＥＤとＬＣＤパネルを制御するための配線を行う必要がある。これらの配線は、可撓性を有するＦＰＣ[flexible printed circuit (board)]で行われるのが一般的となっている（例えば、特許文献１、参照。）。
【特許文献１】特開平６−４３４７２号公報
【発明の開示】
【発明が解決しようとする課題】
【０００３】
上記文献のようにＦＰＣで配線を行う場合、ワーク基板におけるＦＰＣの取り数を多くするためにＦＰＣの形状をシンプルにすることが望ましい。一方、ＦＰＣの形状をあまりにもシンプルにし過ぎると、ＦＰＣを複数の方向に折り曲げて端子間を接続しなければならず、ＦＰＣの接続信頼性が低下するという問題があった。上記文献においては、ＦＰＣの形状が複雑であるとともに、ＦＰＣを折り曲げなければならず、ＦＰＣの取り数と接続信頼性がいずれも不十分であるという問題があった。
本発明は、上記課題にかんがみてなされたもので、ＦＰＣの取り数が多く、かつ、接続信頼性の高い小型ＬＣＤモジュールの提供を目的とする。
【課題を解決するための手段】
【０００４】
上記目的を達成するために請求項２にかかる発明は、多数のＬＣＤ素子が配列された矩形状のＬＣＤパネルと、上記ＬＣＤパネルの一辺に備えられた複数または単数のＬＥＤと、上記ＬＥＤから発光された光を上記ＬＣＤパネルの背面全体に導光する導光部と、上記ＬＥＤが備えられた一辺に備えられ上記ＬＣＤ素子を駆動するＬＣＤ駆動用基板とを具備し、メイン基板によって上記ＬＣＤ素子の駆動制御と上記ＬＥＤの点灯制御が行われる小型ＬＣＤモジュールにおいて、
両端にそれぞれ端子を備え可撓性を有する矩形板状に形成され、一端の端子が上記ＬＣＤ駆動用基板と接続しつつ、上記ＬＥＤが備えられた一辺から直交する方向へもう一端を突出させ、突出したもう一端の端子を上記メイン基板に備えられたＬＣＤ駆動用コネクタに接続するＬＣＤ駆動用ＦＰＣと、可撓性を有する細長矩形板状に形成され、上記ＬＥＤが備えられた一辺に長さ方向が沿うように配置することにより上記ＬＥＤと接続し、長さ方向の一端を略一直線状に上記ＬＣＤパネルの外側に突出させるとともに、突出した一端に設けられた端子を上記メイン基板において上記ＬＣＤ駆動用コネクタと直交する方向に備えられたＬＥＤ点灯用コネクタに接続するＬＥＤ点灯用ＦＰＣとを具備する構成としてある。
【０００５】
上記のように構成した請求項２の発明の小型ＬＣＤモジュールには、多数のＬＣＤ素子が配列された矩形状のＬＣＤパネルと上記ＬＣＤ素子を駆動するＬＣＤ駆動用基板が備えられる。一方、上記ＬＣＤパネルの一辺において複数または単数のＬＥＤが備えられ、導光部によって上記ＬＥＤから発光された光が上記ＬＣＤパネルの背面全体に導光される。メイン基板によって上記ＬＣＤ素子の駆動制御と上記ＬＥＤの点灯制御が行われるため、上記ＬＥＤからバックライトを供給しつつ上記ＬＣＤ素子を駆動させることにより、任意の画像を上記ＬＣＤパネルにて再生することができる。
【０００６】
メイン基板による上記ＬＣＤ素子の駆動制御を可能とするために、上記メイン基板と上記ＬＣＤ駆動用基板がＬＣＤ駆動用ＦＰＣを介して接続される。ＬＣＤ駆動用ＦＰＣは、可撓性を有するとともに両端にそれぞれ端子を備えた矩形板状とされる。その一端の端子が一端の端子が上記ＬＣＤ駆動用基板と接続し、もう一端が上記ＬＥＤが備えられた一辺から直交する方向へ突出する。そして、突出したもう一端の端子を上記メイン基板に備えられたＬＣＤ駆動用コネクタに接続することにより、上記メイン基板と上記ＬＣＤ駆動用基板がＬＣＤ駆動用ＦＰＣを介して接続される。
【０００７】
一方、メイン基板による上記ＬＥＤの点灯制御を可能とするために、上記メイン基板と上記ＬＥＤがＬＥＤ点灯用ＦＰＣを介して接続される。ＬＥＤ点灯用ＦＰＣは、可撓性を有するとともに細長矩形板状とされる。上記ＬＥＤは上記ＬＣＤパネルの一辺に備えられているため、この一辺に沿うように上記ＬＥＤ点灯用ＦＰＣを配置することにより上記ＬＥＤ点灯用ＦＰＣと上記ＬＥＤを接続することができる。上記ＬＥＤが備えられた上記ＬＣＤパネルの一辺に配置された上記ＬＥＤ点灯用ＦＰＣの長さ方向の一端側は、略一直線状に上記ＬＣＤパネルの外側に突出する。そして、この突出した一端に設けられた端子が上記メイン基板において上記ＬＣＤ駆動用コネクタと直交する方向に備えられたＬＥＤ点灯用コネクタに接続することにより、上記メイン基板と上記ＬＥＤがＬＥＤ点灯用ＦＰＣを介して接続することができる。
【０００８】
また、請求項３にかかる発明は、両端が互いに反対向きとなるように上記ＬＣＤ駆動用ＦＰＣが略１８０度撓んだ状態において、上記ＬＥＤ点灯用ＦＰＣの一端に設けられた端子が上記ＬＣＤ駆動用コネクタに接続される構成としてある。
上記のように構成した請求項３の発明において、上記ＬＣＤ駆動用ＦＰＣは、可撓性を有するため、両端が互いに反対向きとなるように略１８０度撓ませることができる。このように撓ませた状態において、上記ＬＥＤ点灯用ＦＰＣの一端に設けられた端子が上記ＬＣＤ駆動用コネクタに接続される。
【０００９】
さらに、請求項４にかかる発明は、上記ＬＣＤ駆動用ＦＰＣの一端の端子は、上記ＬＥＤが備えられた一辺の略中央部にて上記ＬＣＤ駆動用基板と接続する構成としてある。
上記のように構成した請求項４の発明において、上記ＬＥＤが備えられた一辺の略中央部において、上記ＬＣＤ駆動用基板と上記ＬＣＤ駆動用ＦＰＣの一端の端子とが接続される。
【００１０】
以上の構成をさらに具体化した小型ＬＣＤモジュールとしても本発明を実現することができ、その具体例として請求項１にかかる発明は、多数のＬＣＤ素子が配列された矩形状のＬＣＤパネルと、上記ＬＣＤパネルの一辺に備えられた複数または単数のＬＥＤと、上記ＬＥＤから発光された光を上記ＬＣＤパネルの背面全体に導光する導光部と、上記ＬＥＤが備えられた一辺に備えられ上記ＬＣＤ素子を駆動するＬＣＤ駆動用基板とを具備し、メイン基板によって上記ＬＣＤ素子の駆動制御と上記ＬＥＤの点灯制御が行われる小型ＬＣＤモジュールにおいて、両端にそれぞれ端子を備え可撓性を有する矩形板状に形成され、一端の端子が上記ＬＥＤが備えられた一辺の略中央部にて上記ＬＣＤ駆動用基板と接続しつつ、上記ＬＣＤパネルに略平行、かつ、上記ＬＥＤが備えられた一辺から直交する方向へもう一端を突出させ、突出したもう一端の端子を上記メイン基板に平行に挿入させる平型コネクタであり、当該メイン基板に備えられたＬＣＤ駆動用コネクタに接続するとともに、上記両端が互いに反対向きとなるように略１８０度撓むＬＣＤ駆動用ＦＰＣと、可撓性を有する細長矩形板状に形成され、上記ＬＣＤ駆動用ＦＰＣと重なりつつ上記ＬＥＤが備えられた一辺に長さ方向が沿うように配置することによりチップ型の上記ＬＥＤと接続し、長さ方向の一端側を略一直線状に上記ＬＣＤパネルの外側に突出させるとともに、上記ＬＣＤ駆動用ＦＰＣが略１８０度撓んで上記ＬＣＤパネルと上記メイン基板とが略平行となる状態において、突出した一端に設けられた端子を上記メイン基板に平行に挿入させる平型コネクタであり、上記メイン基板上において上記ＬＣＤ駆動用コネクタと直交する方向に備えられたＬＥＤ点灯用コネクタに接続するＬＥＤ点灯用ＦＰＣとを具備する構成としてある。
かかる構成においても請求項２から請求項４の各発明の効果が実現できることはいうまでもない。
【発明の効果】
【００１１】
請求項１および請求項２の発明によれば、シンプルな形状のＦＰＣを折り曲げることなく液晶モジュールとメイン基板とを接続することができ、ＦＰＣの取り数が多く、かつ、接続信頼性の高い小型ＬＣＤモジュールを提供することができる。
請求項３の発明によれば、ＦＰＣを折り曲げることなくＬＣＤパネルを反転させることができる。
請求項４の発明によれば、ＬＣＤパネルの中央にて画像信号を伝送することができ、バランスのよいＬＣＤパネルの配置や配線を実現することができる。
【発明を実施するための最良の形態】
【００１２】
ここでは、下記の順序に従って本発明の実施形態について説明する。
（１）ＬＣＤモジュールの構成：
（２）ＬＣＤモジュールの取り付け手順：
（３）変形例：
【００１３】
（１）ＬＣＤモジュールの構成
図１は、本発明の一実施形態にかかる小型ＬＣＤモジュールを分解した様子を斜めから見て示している。同図において、ＬＣＤモジュール１０は背面部材１１と反射板１２と導光フィルム１３とＬＣＤパネル１４とＬＣＤ駆動用基板１５とＬＣＤ駆動用ＦＰＣ１６とＬＥＤ点灯用ＦＰＣ１７と枠カバー１８とから構成されている。ＬＣＤパネル１４は、図示しない多数のＬＣＤ素子が配列されており、各ＬＣＤ素子はＬＣＤ駆動用基板１５から出力される駆動信号に基づいて透過率を制御することが可能となっている。なお、ＬＣＤパネル１４は、ＲＧＢ各チャンネルのＬＣＤ素子を備えたカラーＬＣＤパネルであってもよいし、単一チャンネルのＬＣＤ素子によるモノクロＬＣＤパネルであってもよい。
【００１４】
ＬＣＤ駆動用基板１５はＬＣＤパネル１４の下辺中央部に取り付けられる。背面部材１１はＬＣＤパネル１４よりもＬＣＤ駆動用基板１５の分だけ大きく形成されており、ＬＣＤ駆動用基板１５がＬＣＤパネル１４に取り付けられた状態で、背面部材１１にＬＣＤ駆動用基板１５とＬＣＤパネル１４とが載置される。ＬＣＤ駆動用ＦＰＣ１６は矩形板状に形成されており、長手方向両端に端子１６ａ，１６ｂを有している。一方の端部に形成された端子１６ａはＬＣＤ駆動用基板１５に接続されている。ＬＥＤ点灯用ＦＰＣ１７は細長矩形板状に形成されており、長さ方向の一端に端子１７ａを有している。ＬＣＤ駆動用ＦＰＣ１６とＬＥＤ点灯用ＦＰＣ１７は、可撓性を有する樹脂基材に所定の銅配線と永久レジストを形成したフレキシブル基板である。ＬＣＤ駆動用ＦＰＣ１６とＬＥＤ点灯用ＦＰＣ１７はともに単純な矩形状であるため、製造工程の１枚のワーク基板にレイアウト可能な取り数を多くすることができ、低コストで製造することができる。ＬＥＤ点灯用ＦＰＣ１７には予め２個のチップ型白色ＬＥＤ１９，１９が半田付けされている。
【００１５】
図示しないがＬＥＤ点灯用ＦＰＣ１７には、ＬＥＤ１９，１９のアノードとカソードを接続するためのランドが形成されており、これらのランドとＬＥＤ１９，１９の端子部が半田付けされる。ＬＥＤ点灯用ＦＰＣ１７には図示しない銅配線が形成されており、この配線によって上記ランドと端部に形成された端子１７ａとが電気的に接続されている。ＬＥＤ点灯用ＦＰＣ１７は、ＬＥＤ１９，１９が実装された面がＬＣＤ駆動用基板１５およびＬＣＤ駆動用ＦＰＣ１６に一部が重なって、ＬＣＤパネル１４の下辺に沿うように取り付けられる。このときＬＥＤ１９，１９が下方から反射板１２と導光フィルム１３の下端に接触する。ＬＥＤ１９，１９が発光することにより、白色光が導光フィルム１３の内部に入射することとなる。
【００１６】
導光フィルム１３は透光性を有するととともに、隣接する層と異なる屈折率を有しているため、導光フィルム１３の内部に白色光を導光することができる。導光フィルム１３の内部では光が乱反射させられ、臨界角を超える散乱光がＬＣＤパネル１４あるいは反射板１２に入射する。反射板１２に入射した白色光も反射板１２にて全反射させられ、ＬＣＤパネル１４に入射する。導光フィルム１３と反射板１２はＬＣＤパネル１４の全体をカバーするため、ＬＣＤパネル１４の全面にわたって白色バックライトを供給することができる。ＬＣＤパネル１４に入射した白色光はＬＣＤパネル１４におけるＬＣＤ素子の配向状態によって透過したり遮光されたりする。カラーＬＣＤパネル１４の場合には一部の波長が透過したり遮光されたりする。ＬＣＤ素子の配向状態は、ＬＣＤ駆動用基板１５に入力される画像信号によって制御できるため、ＬＣＤパネル１４にて任意の画像を再生することができる。なお、バックライトが出射する方向がＬＣＤパネル１４の表示面側となる。枠カバー１８は、矩形枠状に形成されており中央部に矩形状の窓１８ａを有している。枠カバー１８は背面部材１１およびＬＣＤパネル１４の端部をＬＣＤパネル１４の表示面側から押さえ込んで固定する。
【００１７】
図２は、組み付けられた状態のＬＣＤモジュール１０を斜めからみて示している。同図に示すように、組み付けられた状態においては、ＬＣＤパネル１４の下辺の中央部から下方に向かってＬＣＤ駆動用ＦＰＣ１６が下方に一直線状に突出し、ＬＣＤパネル１４の下辺に沿った方向の外側へ向かってＬＥＤ点灯用ＦＰＣ１７が一直線状に突出している。それぞれ突出したＬＣＤ駆動用ＦＰＣ１６とＬＥＤ点灯用ＦＰＣ１７の先端には端子１６ｂ，１７ａが位置することとなる。ＬＣＤ駆動用ＦＰＣ１６とＬＥＤ点灯用ＦＰＣ１７は、何ら外力を及ぼさない状態においては平面板状の原形状が維持されるため、ＬＣＤ駆動用ＦＰＣ１６とＬＥＤ点灯用ＦＰＣ１７はＬＣＤパネル１４とほぼ平行となっている。
【００１８】
（２）ＬＣＤモジュールの取り付け手順：
図３は、ＬＣＤモジュール１０が取り付けられるメイン基板２０を斜めから見て示している。同図において、ＬＣＤ駆動用ＦＰＣ１６の幅と同等のＬＣＤ駆動用コネクタ２１がＬＣＤモジュール１０に実装されている。ＬＣＤ駆動用コネクタ２１と直交する方向のＬＥＤ点灯用コネクタ２２も実装されており、ＬＥＤ点灯用コネクタ２２の幅はＬＥＤ点灯用ＦＰＣ１７と同等とされている。メイン基板２０には図示しない画像再生回路（チップ）が備えられており、ＬＣＤ駆動用コネクタ２１とＬＥＤ点灯用コネクタ２２に対してＬＣＤ駆動信号とＬＥＤ点灯信号を供給し、ＬＣＤパネル１４の駆動制御とＬＥＤ１９，１９の点灯制御をすることが可能となっている。
【００１９】
図４，５は、メイン基板２０にＬＣＤモジュール１０を取り付ける手順を説明している。図４に示すように、まずＬＣＤ駆動用コネクタ２１に対してＬＣＤ駆動用ＦＰＣ１６の先端の端子１６ｂが差し込む。ＬＣＤ駆動用コネクタ２１は、メイン基板２０に平行に端子１６ｂを差し込む平型のコネクタであり、平行に端子１６ｂを差し込まれ電気的な接続が確保された状態で端子１６ｂを挟み込んで固定することができる。このとき、ＬＣＤモジュール１０のＬＣＤパネル１４の表示面はメイン基板２０に向かい合う方向となっている。
【００２０】
次に、図５に示すようにＬＣＤパネル１４を裏返す。これによってＬＣＤパネル１４の表示面がメイン基板２０と反対側の方向に向くこととなる。同時に、図４の状態で平面状であったＬＣＤ駆動用ＦＰＣ１６は１８０度撓んだ状態となる。ＬＣＤ駆動用ＦＰＣ１６は、ＬＣＤパネル１４の幅方向中央部に接続されているため、ＬＣＤ駆動用ＦＰＣ１６をバランスよくまっすぐに撓ませることができる。この状態において、ＬＥＤ点灯用ＦＰＣ１７の先端の端子１７ａは、ＬＥＤ点灯用コネクタ２２が配置された位置に位置する。ＬＥＤ点灯用コネクタ２２はＬＣＤパネル１４を裏返したときにＬＣＤパネル１４が位置する側からメイン基板２０に平行にＬＥＤ点灯用ＦＰＣ１７の端子１７ａを差し込むことが可能となっており、端子１７ａが差し込まれた状態で端子１７ａを固定して、ＬＣＤモジュール１０を取り付けが完了する。ＬＣＤモジュール１０のメイン基板２０への取り付けが完了すると、ＬＣＤモジュール１０やメイン基板２０のキャビネットへの取り付けが行われる。
【００２１】
以上のような本実施形態においては、ＬＣＤパネル１４からのＬＣＤ駆動用ＦＰＣ１６とＬＥＤ点灯用ＦＰＣ１７の引き出し方向を異ならせているため、ＬＣＤ駆動用ＦＰＣ１６をＬＥＤ点灯用ＦＰＣ１７に制限されることなく配置することができる。従って、ＬＣＤ駆動用ＦＰＣ１６をＬＣＤパネル１４の中央部に接続することができ、ＬＣＤパネル１４のバランスのよい配置や配線を実現することができる。ＬＣＤ駆動用ＦＰＣ１６とＬＥＤ点灯用ＦＰＣ１７をメイン基板２０における離れた位置にて接続することができるため、ＬＣＤ駆動用ＦＰＣ１６とＬＥＤ点灯用ＦＰＣ１７とが干渉して接続作業が困難となることもない。
【００２２】
さらに、ＬＣＤ駆動用ＦＰＣ１６とＬＥＤ点灯用ＦＰＣ１７を一直線に引き出すことができるため、ＬＣＤ駆動用ＦＰＣ１６とＬＥＤ点灯用ＦＰＣ１７の形状がシンプルとなりこれらの製造工程における取り数が増加させることができる。また、ＬＥＤ点灯用ＦＰＣ１７の端子１７ａをＬＥＤ点灯用コネクタ２２に固定することによって、ＬＣＤ駆動用ＦＰＣ１６の復元力によってＬＣＤパネル１４が元の方向に裏返ることが防止できるため、作業性をよくすることができる。また、ＬＣＤ駆動用ＦＰＣ１６とＬＥＤ点灯用ＦＰＣ１７のいずれも折り曲げられることはないため、接続の信頼性も高い。
【００２３】
（３）変形例
本発明は、ＬＣＤパネルからのＬＣＤ駆動用ＦＰＣとＬＥＤ点灯用ＦＰＣの引き出し方向を異ならせることにより、ＬＣＤ駆動用ＦＰＣとＬＥＤ点灯用ＦＰＣの形状をシンプルにすることができればよく、その範囲において具体的な実施態様を変更することができる。例えば、図６に示すＬＣＤモジュール１１０のようにＬＣＤ駆動用ＦＰＣ１１６を１８０度撓ませることなく取り付けることができる。ＬＣＤ駆動用ＦＰＣ１１６の端子１１６ｂまたはＬＣＤ駆動用コネクタ２１の接点方向を変えることによって、ＬＣＤ駆動用ＦＰＣ１１６を１８０度撓ませることなくてもＬＣＤパネル１１４の表示面がメイン基板１２０と反対側を向くようにすることができる。この場合も、ＬＥＤ点灯用ＦＰＣ１１７の端子１１７の位置にＬＥＤ点灯用コネクタ１２２を配置しておけば、容易にＬＣＤモジュール１１０を取り付けることができる。
【図面の簡単な説明】
【００２４】
【図１】ＬＣＤモジュールの分解斜視図である。
【図２】ＬＣＤモジュールの斜視図である。
【図３】メイン基板の斜視図でるである。
【図４】ＬＣＤモジュールの取り付けを説明する斜視図である。
【図５】ＬＣＤモジュールの取り付けを説明する斜視図である。
【図６】変形例にかかるＬＣＤモジュールの取り付けを説明する斜視図である。
【符号の説明】
【００２５】
１０…ＬＣＤモジュール、１１…背面部材、１２…反射板、１３…導光フィルム、１４…ＬＣＤパネル、１５…ＬＣＤ駆動用基板、１６…ＬＣＤ駆動用ＦＰＣ、１６ａ，１６ｂ…端子、１７…ＬＥＤ点灯用ＦＰＣ、１７ａ…端子、１８…枠カバー、１８ａ…窓、１９…ＬＥＤ、２０…メイン基板、２１…ＬＣＤ駆動用コネクタ、２２…ＬＥＤ点灯用コネクタ。
【図１】
2008112859.tif 000003
【図２】
2008112859.tif 000004
【図３】
2008112859.tif 000005
【図４】
2008112859.tif 000006
【図５】
2008112859.tif 000007
【図６】
2008112859.tif 000008